(57)【要約】【課題】メタリック塗膜の色ムラを目視評価と相関の高い定量値として得ることができるメタリック塗膜の色ムラ評価装置を提供する。【解決手段】メタリック塗膜１０の色ムラ評価装置１００は、メタリック塗膜１０の色ムラを評価する装置であって、載置部１０１と、測定部１１０とを備える。載置部１０１は、メタリック塗膜１０を載置するための載置面１０２を有する。測定部１１０は、メタリック塗膜１０上の測定点に光を入射し、測定点から反射する光を測定する。測定部１１０では、複数の測定点に対して、入射光軸と受光光軸とを含む測定面が２以上存在するように、２以上の光軸の光を異なったタイミングで入射する。載置部１０２は、測定部１１０に対して相対的に移動可能である。【選択図】図１
2011145131.tif 000002
【特許請求の範囲】
【請求項１】
メタリック塗膜の色ムラを評価する装置であって、
前記メタリック塗膜を載置するための載置面を有する載置部と、
前記メタリック塗膜上の測定点に光を入射し、前記測定点から反射する光を測定するための測定部とを備え、
前記測定部では、複数の前記測定点に対して、入射光軸と受光光軸とを含む測定面が２以上存在するように、２以上の光軸の前記光を異なったタイミングで入射し、
前記載置部は、前記測定部に対して相対的に移動可能である、色ムラ評価装置。
【請求項２】
前記載置部は、前記載置面の延びる方向および前記延びる方向と交差する方向に移動可能であり、
前記測定部は、回転可能である、請求項１に記載の色ムラ評価装置。
【請求項３】
前記測定部は、前記測定点に光を入射するための光源部と、前記測定点から反射する光を受光するための受光部とを含み、
前記光源部および前記受光部は、前記測定点を中心とした円弧状の軌跡に沿って移動可能である、請求項１または２に記載の色ムラ評価装置。
【請求項４】
前記載置部上に配置され、前記測定部で得られる測色および反射強度のデータを補正するための白色拡散板をさらに備えた、請求項１〜３のいずれか１項に記載の色ムラ評価装置。
【発明の詳細な説明】
【技術分野】
【０００１】
本発明は色ムラ評価装置に関する。
【背景技術】
【０００２】
自動車の塗装などに汎用されるメタリック塗装やパールカラー塗装（本発明ではこれらをまとめてメタリック塗装と表現し、その塗装により得られる塗膜をメタリック塗膜という）は、その塗膜（すなわちメタリック塗膜）内に光輝性顔料と呼ばれるアルミフレーク顔料やパールマイカフレーク顔料（以下ではこれらを単にフレーク状顔料という）を単一もしくは複数種含み、メタリック感やパール感を呈する。これらのメタリック塗膜ではフレーク状顔料の表面からの光の反射により金属光沢感を伴った独特の外観を示すが、その反射光を生じる直接の因子であるフレーク状顔料の塗膜内における配向性や分散性が塗膜外観に大きく影響する。そして、フレーク状顔料の分散性や配向性を支配する要因としては、塗料の設計（すなわち塗料の組成や粘度等）に起因する場合や塗料の保管状態、また塗装システムの形態などを種々挙げることができる。
【０００３】
一般に良好なメタリック塗膜は、フレーク状顔料の配向状態が被塗面に対して平行に配列して、フレーク状顔料の表面からの光反射が鏡面反射により近くなりかつ金属光沢感をより強調したものとなることから、フリップフロップ感と呼ばれる塗膜の観測条件による明度変化が大きくなる。さらに、良好な品質のメタリック塗膜は、塗膜外観として設計された通りの外観を呈し、その塗膜外観に部分的な偏りがなくムラのないことが求められる。
【０００４】
しかしながら、これらのフレーク状顔料は完全に平行配列することが実際の塗膜では少なく、また分散状態の均一性も不完全であることがほとんどであるのが実状である。そして、フレーク状顔料の不均一性の程度に部分的な偏りがある場合、その偏りの出現の周期性や分布状態、あるいは偏りの程度の大きさの変化の度合が人の目に知覚される感度以上の差を持つ場合、人はそれを色ムラと認識する。
【０００５】
このような色ムラの程度を評価する方法としては従来より種々の方法が試みられているが、簡単に観測し得る大きな色ムラの程度を見出すことはもとより、より高級な仕上げの塗装においてはほんのわずかな色ムラの発生をも客観的に判定する評価技術を確立させることが求められている。しかしその一方において、より精度の高い判断については人間の目視による定性的判断によってなされているのが現状である。この目視による定性的判断を一定の客観性をもって評価するためには徹底した熟練を要し、広く産業界で同一の判断基準の下にこれらの官能評価による定性的判断を普遍的に実施することは極めて困難である。
【０００６】
したがって、このような目視による定性的判断と充分に相関のある定量的数値化が種々試みられており、たとえば特開平５−２８８６９０号公報（特許文献１）では、計測値をフーリエ変換して色ムラの目視評価と対応する空間周波数に着目する手法が提案されている。この特許文献１では、メタリック塗膜の輝度を測定する装置を用いている。この装置では、被測定面の表面に対して４５°および５５°の角度で設定された投光器および受光器を移動用ゴムタイヤで被測定面の表面を移動して輝度を連続的に測定している。そして、物理的な輝度分布をフーリエ変換処理して空間周波数解析を行ない、特定周波数の振幅レベルの大きさから色ムラの程度を数値化している。
【先行技術文献】
【特許文献】
【０００７】
【特許文献１】特開平５−２８８６９０号公報
【発明の概要】
【発明が解決しようとする課題】
【０００８】
しかし、上記特許文献１のようなフーリエ変換処理による方法だと数値化の基準は着目した周波数での平均化された累積頻度であり、大きな色ムラの大小の検出には有効であるが、色ムラの程度差が接近した試料同士における色ムラの大小の検出については目視との相関が得られ難い。
【０００９】
そこで、本発明の目的は、メタリック塗膜の色ムラを目視評価と相関の高い定量値として得ることができるメタリック塗膜の色ムラ評価装置を提供することである。
【課題を解決するための手段】
【００１０】
本発明のメタリック塗膜の色ムラ評価装置は、メタリック塗膜の色ムラを評価する装置であって、載置部と、測定部とを備える。載置部は、メタリック塗膜を載置するための載置面を有する。測定部は、メタリック塗膜上の測定点に光を入射し、測定点から反射する受光を測定する。測定部では、複数の測定点に対して、入射光軸と受光光軸とを含む測定面が２以上存在するように、２以上の光軸の光を異なったタイミングで入射する。載置部は、測定部に対して相対的に移動可能である。
【００１１】
上記メタリック塗膜の色ムラ評価装置において好ましくは、載置部は、載置面の延びる方向およびこの延びる方向と交差する方向に移動可能であり、測定部は、回転可能である。
【００１２】
上記メタリック塗膜の色ムラ評価装置において好ましくは、測定部は、測定点に光を入射するための光源部と、測定点から反射する光を受光するための受光部とを含み、光源部および受光部は、測定点を中心とした円弧状の軌跡に沿って移動可能である。
【００１３】
上記メタリック塗膜の色ムラ評価装置において好ましくは、載置部上に配置され、測定部で得られる測色および反射強度のデータを補正するための白色拡散板をさらに備えている。
【発明の効果】
【００１４】
本発明のメタリック塗膜の色ムラ評価装置によれば、メタリック塗膜の色ムラを目視評価と相関の高い定量値として得ることができる。
【図面の簡単な説明】
【００１５】
【図１】本発明の実施の形態におけるメタリック塗膜の色ムラ評価装置を概略的に示す斜視図である。
【図２】本発明の実施の形態におけるメタリック塗膜の色ムラ評価装置を概略的に示す平面図である。
【図３】本発明の実施の形態におけるメタリック塗膜上の測定点および測定面を示した模式図である。
【図４】本発明の実施の形態におけるメタリック塗膜上の測定点を概略的に示す平面図である。
【発明を実施するための形態】
【００１６】
以下、図面に基づいて本発明の実施の形態を説明する。なお、以下の図面において同一または相当する部分には同一の参照符号を付しその説明は繰り返さない。
【００１７】
まず、図１および図２を参照して、本発明の実施の形態におけるメタリック塗膜の色ムラ評価装置１００について説明する。本実施の形態の色ムラ評価装置１００は、図１および図２に示すように、載置部１０１と、測定部１１０と、白色拡散板１３０とを備えている。載置部１０１は、載置面１０２を有する。測定部１１０は、光源部１１１と、受光部１１２と、表示部１１３と、台座１１４と、分光器１１５とを含む。載置部１０１は、測定部１１０に対して相対的に移動可能である。換言すると、測定部１１０は、載置部１０１に対して相対的に移動可能である。
【００１８】
載置部１０１は、メタリック塗膜１０を載置するための載置面１０２を有する。載置部１０１は、載置面１０２の延びる方向および載置面１０２の延びる方向と交差する方向に移動可能である。換言すると、載置部１０１は、メタリック塗膜１０の延びる方向（図１における矢印１０３の方向）およびメタリック塗膜１０の延びる方向と交差する方向（図１における矢印１０４の方向）に移動可能である。載置部１０１は、たとえばＸＹテーブルを用いることができる。
【００１９】
なお、載置部１０１は、載置面１０２と交差する方向（図１および図２における上下方向）にも移動可能であることが好ましい。この場合には、たとえばＸＹＺテーブルを用いることができる。
【００２０】
測定部１１０は、メタリック塗膜１０上の測定点に光を入射し、測定点から反射する光を測定する。言い換えると、測定部１１０は、メタリック塗膜１０上の測定点に光を入射し、その受光量を測定する。測定部１１０では、複数の測定点に対して、入射光軸と受光光軸とを含む測定面（図３参照）が２以上存在するように、２以上の光軸の光を異なったタイミングで入射する。ここで、２以上の光軸の光を異なったタイミングで入射するとは、２以上の光軸の光が同時に測定点に入射することのないように各光を異なった時期に個別に測定点に入射させることを意味する。２以上の光軸の光が同時に測定点に入射すると入射受光条件が崩れてしまい有効な測色または反射強度測定を実施することができなくなるからである。
【００２１】
ここで、上記「メタリック塗膜１０の測定面」について説明する。メタリック塗膜１０の測定面は、図３に示すように、入射光軸と受光光軸とを同時に含む平面を意味し、入射光軸とは測定点に対して測色または反射強度測定のために入射される光軸であり、受光光軸とは入射した光軸が測定点において反射する反射光のうち測定対象となる光軸である。したがって、測定面が２以上存在する場合は、入射受光軸（図３において入射光軸と受光光軸とを連続する光軸とするもの）が２以上存在することになる。
【００２２】
このような構成を実現するために、図１に示すように、測定部１１０は測定点を軸として回転可能である。つまり、測定部１１０は自転可能である。
【００２３】
次に、測定部１１０を構成する部材について説明する。光源部１１１は、測定点に光を入射する。光源部１１１では、たとえば、波長が３６０ｎｍ〜７９０ｎｍの可視光を発振する。受光部１１２は、メタリック塗膜１０から反射する光を受光する。受光部１１２は、たとえば波長が３６０ｎｍ〜７９０ｎｍの光を受光できる。光源部１１１および受光部１１２は、測定点を中心とした円弧状の軌跡に沿って移動可能である。このように光源部１１１および受光部１１２が円弧状の軌跡に沿って移動可能である場合、光源部１１１および受光部１１２がどの位置に配置されているか特定するために、表示部１１３が設けられている。
【００２４】
光源部１１１、受光部１１２、および表示部１１３は台座１１４に設けられている。分光器１１５は、光源部１１１および受光部１１２からの測定値に基づき、測色および反射強度を測定する。分光器１１５は、たとえば光ファイバーなどを用いることができる。
【００２５】
白色拡散板１３０は、載置部１０１上に配置され、測定部１１０で得られる測色および反射強度のデータを補正する。白色拡散板１３０は、分光反射率が既知のものを用いることが好ましい。
【００２６】
なお、色ムラ評価装置１００は、載置部１０１を移動するための駆動部材（図示せず）をさらに備えていてもよい。また、色ムラ評価装置１００は、載置部１０１の移動および測定部１１０の移動を制御するための制御部（図示せず）をさらに備えていてもよい。
【００２７】
続いて、本実施の形態における色ムラ評価装置１００を用いて、メタリック塗膜１０の色ムラを評価する方法について説明する。
【００２８】
まず、載置部１０１の載置面１０２に、メタリック塗膜１０を載置する。また、白色拡散板１３０も載置部１０１の載置面１０２に載置する。載置部１０１の載置面１０２においてメタリック塗膜１０が載置されない領域に白色拡散板１３０を載置することが好ましい。
【００２９】
次に、メタリック塗膜１０上において複数の測定点を選択する。測定点の間隔や個数等は特に限定されないが、たとえば、図４に示すようにメタリック塗膜１０上において各間隔が略均一な縦軸と、各間隔が略均一な横軸とが交差する複数の交点を複数の測定点として選択する。
【００３０】
この場合、色ムラを評価する対象となるメタリック塗膜の面積にもよるが、たとえば上記縦軸および横軸の間隔はそれぞれ１０ｍｍ以上１００ｍｍ以下の範囲から選択する。この場合、一般に目視評価で色ムラとして認識される波長がよく知覚されるため最終的に得られる評価の精度を特段に向上することができる。
【００３１】
なお、上記のような測定点は、上記の間隔に従い色ムラを評価する対象となるメタリック塗膜１０の全範囲から選択することが好ましい。なお、上記間隔は、互いに等しくても良いし、異なっていても良い。また、上記縦軸と横軸とは、直交していても良いし、直交していなくても良い。
【００３２】
次に、測定部１１０により、上記測定点の各々において、光を入射しその受光を測定することにより測色または反射強度測定をする。
【００３３】
具体的には、所定の位置（所定の入射角および受光角になるよう）に光源部１１１および受光部１１２を配置する。この位置は表示部１１３で特定することができる。この光源部１１１から、メタリック塗膜１０のある測定点に光を入射する。そして、受光部１１２により、この測定点から反射する光を受光する。
【００３４】
測定点に光を入射する際には、入射光軸は、測定点における法線に対して４０°以上５０°以下の入射角（後述の受光角と区別するために入射角はマイナスの符号を付した数値で表現する場合がある）を有するようにして入射させるように光源部１１１を配置することが好ましい（図３参照）。これは、法線に対して互いに対称な入射受光の関係となる正反射の幾何学条件のうち４５°が最も目視と相関のある角度であるためである。
【００３５】
さらに、入射光軸は、測定点における法線に対して４５°の入射角を有し、受光光軸は、上記測定点における法線に対して０°以上４５°以下の受光角を有するように光源部１１１および受光部１１２を配置することが好適である。これは、目視で評価する際の観察が主に鏡面反射（正反射）近傍のハイライトとよばれる領域での評価で行なわれることに対応するためである。受光角が０°未満となる場合（すなわち受光光軸が法線より入射光軸側に傾く場合）は、反射光が小さくなり過ぎそれから得られる情報も小さくなることから精度が悪くなる。受光角が４５°を超えると上記のハイライト領域に準じた情報となるため０°から４５°の範囲から測定値を得られればそれで充分であるので、一般的な測色機または反射強度測定ができる装置では受光角が４５°を超えて測定する設計はあまり存在しない。上記受光角は、より好ましくは２０°以上４０°以下の範囲とすることが好適である。目視と良く対応している領域だからであり、目視で観察する場合もその範囲の外観に良く違いが認められるからである。
【００３６】
そして、光源部１１１から入射した光の量と、受光部１１２で受光した光の量とを分光器１１５で測定する。
【００３７】
次いで、載置部１０１を移動させずに（同じ測定点について）、測定点を中心として測定部１１０を回転させる。これにより、上記と異なる方向から光源部１１１により光を入射し、受光部１１２によりその受光を測定する。１つの測定点に対して３以上の方向から光の入射および受光を実施する場合には、上記工程をさらに繰り返す。
【００３８】
測定点を中心として測定部１１０を回転させる際には、測定部１１０により、図３に示すように上記測定面が各測定点における法線を含み、かつその法線を交線として互いに角度η°を有して交差することによりｋ個（ただしｋ＝３６０／η）存在するような条件下で測色または反射強度測定を実施することが好ましい。ここで、角度η°は、特に限定されるものではないが０°＜η°≦１２０°の範囲とすることが好ましく、より好ましくはその上限が９０°、さらに好ましくは６０°であり、その下限が２０°、さらに好ましくは３０°である範囲から選択するのが好適である。上記角度η°を１２０°以下の範囲で選択することにより目視評価と高い相関を得ることができるが、逆に角度η°が１２０°を超えると、１つの測定点あたりの測色または反射強度測定のデータ数が少なくなるため、目視評価との相関性が低下する場合がある。
【００３９】
その後、載置部１０１に載置されたメタリック塗膜１０を、載置面１０２の延びる方向（矢印１０３の方向）または延びる方向と交差する方向（矢印１０４の方向）に移動する。これにより、別の測定点についても同様に、複数の方向から光源部１１１により光を入射し、受光部１１２によりその受光を測定する。
【００４０】
そして、図４に示すようにメタリック塗膜１０上において選択した複数の測定点について上記工程を繰り返すことで、選択した複数の測定点について、複数の方向から光を入射しその受光を測定する。
【００４１】
なお、本実施の形態では、１つの測定点について複数の方向から光を入射および受光を実施した後に、他の測定点について複数の方向から光を入射および受光を実施している。しかし、本発明はこの工程順に特に限定されず、１つの方向から複数の測定点について光を入射および受光を実施した後に、他の方向から複数の測定点について光を入射および受光を実施してもよい。
【００４２】
なお、光源部１１１および受光部１１２の位置は各測定点で同じ位置であることが好ましい。異なる測定点を測定する場合であっても、表示部１１３により、光源部１１１および受光部１１２の位置を再現性を高めて特定できる。
【００４３】
このように、この工程では、各測定点に対して入射光軸と受光光軸とを含む測定面が２以上存在するように、２以上の光軸の光を異なったタイミングで入射する。換言すれば、この工程は、各測定点毎に複数の方向から測色または反射強度測定を実施するものであり、これにより色ムラの評価に関し目視評価により得られる結果と極めて相関の高い結果を得ることができる。
【００４４】
また、この工程の最初と最後には、光源部１１１から白色拡散板１３０に光を入射し、色認識を行ない、色度の差を測定することが好ましい。この場合、この測定に基づいて、補正パラメータを求め、各測定点における光の入射および受光によるデータの値を補正することができる。
【００４５】
また、この工程における測色は、メタリック塗膜をたとえばＪＩＳ  Ｚ８７２２に記載されるような刺激値直読方法や分光測色方法により測色するものであるが、Ｌ*ａ*ｂ*表色系またはＬ*ｕ*ｖ*表色系におけるＬ*値（ＣＩＥ（国際照明委員会）１９７６明度）、あるいはハンターの色差式における明度指数であるＬ値を測色することが好ましい。目視判断との相関性が高い数値を得ることが目的であるためであり、たとえば分光測色方法で測定した場合には、このようなＬ*値やＬ値を採用することが好適だからである。
【００４６】
また、この工程は、上記Ｌ*値またはＬ値に代えて、ＸＹＺ表色系における三刺激値であるＹ値またはＸ10Ｙ10Ｚ10表色系における三刺激値であるＹ10値を測色することもできる。
【００４７】
このように、この工程は、色の成分として明度の成分（パラメーター）を測色することが好ましいが、これのみに限られるものではない。このように明るさの成分を測色することは、シルバー色等の無彩色系のメタリック塗膜を評価する場合に特に優れる。しかし、ブルーメタリック等の有彩色系のメタリック塗膜を評価する場合は、色度（たとえばＬ*ａ*ｂ*表色系のｂ*等）を測色することが好ましい場合もある。また、明るさに対応する物理量を測定するために光源部１１１は入射光としてレーザー光を使用して、その反射強度を測定しても良い。
【００４８】
次に、測定部１１０で得られた測色または反射強度測定のデータを処理する。このような処理方法は、特に限定されるものではないが、下記のの式１および式２により測色または反射強度測定のデータを統計的に処理することが特に好ましい。
【００４９】
【数１】
2011145131.tif 000003
【００５０】
【数２】
2011145131.tif 000004
【００５１】
上記式１中、ｊは上記測定点の個数を示し、ｋは上記測定面の個数を示し、Ｌはｊ個の測定点におけるｋ個の測定面すべてにおける測定値の総平均値を示し、またｋ個の測定面中における任意の１個の測定面を基準面とし、その基準面はｊ個の測定点間で互いに平行であり、その基準面と交差する角度が互いに等しくなる測定面の集合をｊ個の測定点間でｋ個形成し、その各集合における測定値の平均値をＬxとし、一方、式１と式２におけるＳAは各測定点においてｋ個の測定面により測定値を得たことを要因とする変動値を示し、また式２中、ＶAは各測定点においてｋ個の測定面により測定値を得たことを要因とする要因分散値を示す。
【００５２】
すなわち、上記の式１と式２により得られたＶAは、各測定点においてｋ個の測定面により測定値を得たという要因によって変化する測定値のバラツキの大きさを示し、このバラツキが小さい程ＶAは小さい値を示し、バラツキが大きくなる程その値は大きくなることから、色ムラの程度の大小と対応させた値として評価できる。すなわち、ＶAの値が小さくなる程、色ムラの程度が小さくなることを示すものである。
【００５３】
これらの式により、後述するようにＶAを得ることができ、このＶAの値を評価することで目視評価により得られる結果と極めて相関の高い結果が得られる。
【００５４】
以上の工程を実施することにより、メタリック塗膜１０の色ムラを評価することができる。
【００５５】
以上説明したように、本実施の形態におけるメタリック塗膜１０の色ムラ評価装置１００は、メタリック塗膜１０の色ムラを評価する装置であって、載置部１０１と、測定部１１０とを備える。載置部１０１は、メタリック塗膜１０を載置するための載置面１０２を有する。測定部１１０は、メタリック塗膜１０上の測定点に光を入射し、測定点から反射する光を測定する。測定部１１０では、複数の測定点に対して、入射光軸と受光光軸とを含む測定面が２以上存在するように、２以上の光軸の光を異なったタイミングで入射する。載置部１０１は、測定部１１０に対して相対的に移動可能である。
【００５６】
本発明のメタリック塗膜の色ムラ評価装置１００によれば、載置部１０１は、測定部１１０に対して相対的に移動可能であるので、載置部１０１の載置面１０２にメタリック塗膜１０を載置して、載置部１０１および測定部１１０を相対的に移動させると、複数の測定点を測定することができる。また、測定部１１０において、複数の測定点に対して、入射光軸と受光光軸とを含む測定面が２以上存在するように、２以上の光軸の光を異なったタイミングで入射することができるので、複数の測定点毎に複数の方向から測色または反射強度測定を実施できる。したがって、測定点毎に複数の方向からのデータが得られ、かつ複数の測定点を測定できる。よって、以下の理由から、得られたデータを統計的に処理することで、目視評価により得られる結果と相関の高い定量値として得られるメタリック塗膜色ムラ評価装置を実現できる。
【００５７】
複数の測定点毎に２以上の光軸で光を入射すること、換言すれば複数の各測定点毎に複数の方向から測色または反射強度測定を実施することにより、そのようにして得られたデータを統計的に処理すると目視評価により得られる結果と極めて相関の高い結果が得られる理由について説明する。
【００５８】
すなわち、本発明の評価方法の対象となる色ムラは、そもそもメタリック塗膜１０中に存在するフレーク状顔料の配向性の不均一性に起因して生じるものと考えられる。配向性が良好（フレーク状顔料が塗膜表面または被塗面に平行に並んだ状態）であれば金属光沢が強く、逆に配向性が不良であれば金属光沢は弱くなるとともにその程度にも差を生じ、結果的にこれらが色ムラを構成する。また、上記配向性が良好であれば観測する方向に係らず測色または反射強度測定の測定値（データ）は一定となるが、配向性が不良であれば観測する方向に依存して測色または反射強度測定の測定値は変動する。したがって、この測色または反射強度測定の測定値において観測する方向を要因とする変動（バラツキ）と色ムラとは相関することが考えられる。
【００５９】
このため、測色または反射強度測定の測定値において観測する方向を要因とするバラツキを評価すれば色ムラを評価することが可能となる。ここで、この観測する方向を要因とするバラツキを評価するに際し、測色または反射強度測定の測定値の各データを統計的に処理することにより、測定値全体のバラツキから観測する方向を要因とするバラツキを切り離すことが可能となり、目視評価により得られる結果と極めて相関の高い結果が得られるものと考えられる。
【００６０】
さらに、本実施の形態のメタリック塗膜の色ムラ評価装置１００は、自動で、複数の測定点毎に２以上の光軸で光を入射させることができる。仮に、上記特許文献１で用いている装置を適用した場合であっても、各測定点について手動で光を入射させその光を受光しなければいけない。手動で、複数の測定点毎に２以上の光軸で光を入射させる場合に比べて、本実施の形態の色ムラ評価装置１００では、複数の測定点について同じ角度で測定が可能である。したがって、本実施の形態の色ムラ評価装置１００は、測定精度を向上することもできる。
【００６１】
なお、本発明が対象とするメタリック塗膜とは、上述の通りメタリック塗装により得られる塗膜であって、１以上のフレーク状顔料を包含するものをいう。しかし、このようなフレーク状顔料を含む塗膜の上にさらにクリアーコート層やトップコート層等と呼ばれるフレーク状顔料を含まない層が形成される場合があり、このように表面部においてフレーク状顔料を含まない層が形成される場合も本発明においてはメタリック塗膜に含むものとする。このように、本発明のメタリック塗膜とは、金属光沢を持った外観を呈する限りどのような構成の塗膜をも含むものとする。
【００６２】
上記メタリック塗膜の色ムラ評価装置１００において好ましくは、載置部１０１は、載置面１０２の延びる方向およびこの延びる方向と交差する方向に移動可能であり、測定部１１０は回転可能である。
【００６３】
載置部１０１に載置されたメタリック塗膜１０は２つの方向に移動可能なので、この方向に沿って測定点を容易に設定することができる。このため、複数の測定点から容易に測色および反射強度のデータが得られる。また、測定部１１０が回転可能であるので、ある測定点を軸として測定部１１０を回転させることで、ある測定点に対して複数の方向から容易に測色および反射強度のデータが得られる。
【００６４】
上記メタリック塗膜の色ムラ評価装置において好ましくは、測定部１１０は、測定点に光を入射するための光源部１１１と、測定点から反射する光を受光するための受光部１１２とを含み、光源部１１１および受光部１１２は、測定点を中心とした円弧状の軌跡に沿ってに移動可能である。
【００６５】
これにより、光源部１１１および受光部１１２の角度を任意に設定できるので、複数の測定点について任意の角度で入射および受光することができる。このため、複数の測定点の測色および反射強度のより正確なデータが得られる。
【００６６】
上記メタリック塗膜の色ムラ評価装置１００において好ましくは、載置部１０１上に配置され、測定部１１０で得られる測色および反射強度のデータを補正するための白色拡散板１３０をさらに備えている。
【００６７】
白色拡散板１３０でデータを補正できるので、複数の測定点の測色および反射強度のより正確なデータが得られる。
【００６８】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６９】
１０  メタリック塗膜、１００  色ムラ評価装置、１０１  載置部、１０２  載置面、１０３，１０４  矢印、１１０  測定部、１１１  光源部、１１２  受光部、１１３  表示部、１１４  台座、１１５  分光器、１３０  白色拡散板。
【図１】
2011145131.tif 000005
【図２】
2011145131.tif 000006
【図３】
2011145131.tif 000007
【図４】
2011145131.tif 000008